(57)【要約】【課題】飛行性能に優れたゴルフボールの提供。【解決手段】ゴルフボールは、表面に多数のディンプル４を備えている。ディンプル４は、エッジＥから深さ方向に深さの８５％下がった位置Ｐ２から１００％下がった位置Ｐ１までの第一曲面７と、エッジＥから深さ方向に深さの１０％下がった位置Ｐ５から５０％下がった位置Ｐ３までの第二曲面８とを備えている。第一曲面７の曲率半径Ｒ１と第二曲面８の曲率半径Ｒ２との比（Ｒ１／Ｒ２）が５以上５５以下であるディンプルの数がディンプルの総数に占める比率は、２０％以上である。第一曲面７と第二曲面８との間には、第三曲面９が存在している。第二曲面８とエッジＥとの間には、第四曲面１０が存在している。ディンプル４の最深部Ｐ２と仮想球６との距離Ｆは、０．１０ｍｍ以上０．６０ｍｍ以下である。【選択図】  図４
2004166725.tif 000002
【特許請求の範囲】
【請求項１】
表面に多数のディンプルを備えており、
ディンプルエッジから深さ方向に深さの８５％下がった位置から１００％下がった位置までの第一曲面と、ディンプルエッジから深さ方向に深さの２０％下がった位置から５０％下がった位置までの第二曲面とを備え、かつ、第一曲面の曲率半径Ｒ１と第二曲面の曲率半径Ｒ２との比（Ｒ１／Ｒ２）が５以上５５以下であるディンプルの数がディンプルの総数に占める比率が、２０％以上であるゴルフボール。
【請求項２】
上記ディンプルの最深部と仮想球との距離Ｆが０．１０ｍｍ以上０．６０ｍｍ以下である請求項１に記載のゴルフボール。
【発明の詳細な説明】
【０００１】
【発明の属する技術分野】
本発明は、ゴルフボールに関する。詳細には、本発明は、ディンプルの断面形状の改良に関するものである。
【０００２】
【従来の技術】
ゴルフボールは、その表面に多数のディンプルを備えている。ディンプルの役割は、ゴルフボール飛行時にゴルフボール周りの空気の流れを乱すことによって乱流剥離を起こさせることにある（以下、「ディンプル効果」と称される）。乱流剥離によって空気のゴルフボールからの剥離点が後方に下がり、抗力係数（Ｃｄ）が小さくなる。抗力係数の低減により、ゴルフボールの飛行性能が向上する。
【０００３】
飛行性能向上を意図したディンプル断面形状の改良が、種々提案されている。特開平９−７０４４９号公報には、所定形状のダブルラジアスディンプルを備えたゴルフボールが開示されている。特開２０００−２７９５５３公報には、周縁部が丸みを持った曲面であるディンプルを備えたゴルフボールが開示されている。
【０００４】
【特許文献１】
特開平９−７０４４９号公報
【特許文献２】
特開２０００−２７９５５３公報
【０００５】
【発明が解決しようとする課題】
ゴルファーのゴルフボールに対する最大の関心事は、飛距離である。飛距離向上の観点から、ディンプルの断面形状には改良の余地がある。本発明の目的は、ゴルフボールの飛行性能を改善することにある。
【０００６】
【課題を解決するための手段】
本発明に係るゴルフボールは、表面に多数のディンプルを備えている。このゴルフボールでは、以下の（１）及び（２）を満たすディンプルの数がディンプルの総数に占める比率は、２０％以上である。
（１）ディンプルエッジから深さ方向に深さの８５％下がった位置から１００％下がった位置までの第一曲面と、ディンプルエッジから深さ方向に深さの２０％下がった位置から５０％下がった位置までの第二曲面とを備えている。
（２）第一曲面の曲率半径Ｒ１と第二曲面の曲率半径Ｒ２との比（Ｒ１／Ｒ２）が５以上５５以下である。
好ましくは、ディンプルの最深部と仮想球との距離Ｆは、０．１０ｍｍ以上０．６０ｍｍ以下である。
【０００７】
【発明の実施の形態】
以下、適宜図面が参照されつつ、好ましい実施形態に基づいて本発明が詳細に説明される。
【０００８】
図１は、本発明の一実施形態に係るゴルフボール１が示された一部切り欠き断面図である。このゴルフボール１は、球状のコア２と、カバー３とを備えている。カバー３の表面には、多数のディンプル４が形成されている。ゴルフボール１の表面のうちディンプル４以外の部分は、ランド５である。このゴルフボール１は、カバー３の外側にペイント層及びマーク層を備えているが、これらの図示は省略されている。
【０００９】
このゴルフボール１の直径は、通常は４０ｍｍから４５ｍｍ、さらには４２ｍｍから４４ｍｍである。米国ゴルフ協会（ＵＳＧＡ）の規格が満たされる範囲で空気抵抗が低減されるという観点から、直径は４２．６７ｍｍ以上４２．８０ｍｍ以下が特に好ましい。このゴルフボール１の質量は、通常は４０ｇ以上５０ｇ以下、さらには４４ｇ以上４７ｇ以下である。米国ゴルフ協会の規格が満たされる範囲で慣性が高められるという観点から、質量は４５．００ｇ以上４５．９３ｇ以下が特に好ましい。
【００１０】
コア２は、ゴム組成物が架橋されることによって形成されている。ゴム組成物の基材ゴムとしては、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点からポリブタジエンが好ましく、特にハイシスポリブタジエンが好ましい。
【００１１】
コア２の架橋には、通常は共架橋剤が用いられる。反発性能の観点から好ましい共架橋剤は、アクリル酸亜鉛、アクリル酸マグネシウム、メタクリル酸亜鉛及びメタクリル酸マグネシウムである。ゴム組成物には、共架橋剤と共に有機過酸化物が配合されるのが好ましい。好適な有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００１２】
ゴム組成物には、充填剤、硫黄、老化防止剤、着色剤、可塑剤、分散剤等の各種添加剤が、必要に応じて適量配合される。コア２に、架橋ゴム粉末又は合成樹脂粉末が配合されてもよい。
【００１３】
コア２の直径は、通常は３０．０ｍｍ以上４２．０ｍｍ以下、特には３８．０ｍｍ以上４１．５ｍｍ以下である。コア２が、２以上の層から構成されてもよい。
【００１４】
カバー３は、合成樹脂組成物から成形されている。カバー３の基材樹脂としては、アイオノマー樹脂、ポリウレタン系熱可塑性エラストマー、ポリアミド系熱可塑性エラストマー、ポリエステル系熱可塑性エラストマー及びポリオレフィン系熱可塑性エラストマーが例示される。
【００１５】
カバー３には、必要に応じ、着色剤、充填剤、分散剤、酸化防止剤、紫外線吸収剤、光安定剤、蛍光剤、蛍光増白剤等が適量配合される。比重調整の目的で、カバー３にタングステン、モリブデン等の高比重金属の粉末が配合されてもよい。
【００１６】
カバー３の厚みは、通常は０．３ｍｍ以上６．０ｍｍ以下、特には０．６ｍｍ以上２．４ｍｍ以下である。カバー３が、２以上の層から構成されてもよい。
【００１７】
図２は図１のゴルフボール１が示された拡大平面図であり、図３はその正面図である。図２及び図３から明らかなように、全てのディンプル４の平面形状は円形である。図２では、ゴルフボール１の表面が１０個の等価なユニットに区画された場合の１個のユニットにおいて、符号ＡからＤによってディンプル４の種類が示されている。このゴルフボール１は、直径が４．１ｍｍであるＡディンプルと、直径が３．６ｍｍであるＢディンプルと、直径が３．４ｍｍであるＣディンプルと、直径が３．２ｍｍであるＤディンプルとを備えている。Ａディンプルの個数は１３２個であり、Ｂディンプルの個数は１８０個であり、Ｃディンプルの個数は６０個であり、Ｄディンプルの個数は６０個である。このゴルフボール１のディンプル４の総数は、４３２個である。
【００１８】
図４は、図１のゴルフボール１の一部が示された縦方向拡大断面図である。この図には、ディンプル４の最深箇所及びゴルフボール１の中心を通過する断面が示されている。図４における上下方向は、ディンプル４の深さ方向である。深さ方向は、ディンプル４の面積重心からゴルフボール１の中心へ向かう方向である。図４において二点鎖線で示されているのは、仮想球６である。仮想球６の表面は、ディンプル４が存在しないと仮定されたときのゴルフボール１の表面である。ディンプル４は、仮想球６から凹陥している。ランド５は、仮想球６と一致している。
【００１９】
図４において両矢印ｄで示されているのは、ディンプル４の直径である。この直径ｄは、ディンプル４の両側に共通の接線Ｔが画かれたときの、一方の接点Ｅと他方の接点Ｅとの距離である。接点Ｅは、ディンプル４のエッジでもある。エッジＥは、ディンプル４の平面形状を画定する。図４において符号Ｐ１で示されているのは、ディンプル４の最深部である。接線Ｔと最深部Ｐ１との距離は、ディンプル４の深さＤｐである。
【００２０】
図４において符号Ｐ２で示されているのは、エッジＥから（Ｄｐ・０．８５）の距離だけ下方の地点である。符号Ｐ３で示されているのは、エッジＥから（Ｄｐ・０．５）の距離だけ下方の地点である。符号Ｐ４で示されているのは、エッジＥから（Ｄｐ・０．２）の距離だけ下方の地点である。符号Ｐ５で示されているのは、エッジＥから（Ｄｐ・０．１）の距離だけ下方の地点である。
【００２１】
ディンプル４は、第一曲面７、第二曲面８、第三曲面９、第四曲面１０及び第五曲面１１を備えている。第一曲面７は碗状であり、第二曲面８、第三曲面９、第四曲面１０及び第五曲面１１はリング状である。第一曲面７は、点Ｐ２よりも下方に位置している。第一曲面７は、最深部Ｐ１を含んでいる。第二曲面８は、点Ｐ３と点Ｐ４との間に位置している。第三曲面９は、点Ｐ２と点Ｐ３との間に位置している。第四曲面１０は、点Ｐ５よりも上方に位置している。第五曲面１１は、点Ｐ４と点Ｐ５との間に位置している。第一曲面７は、第三曲面９と連続している。第三曲面９は、第一曲面７及び第二曲面８と連続している。第二曲面８は、第三曲面９及び第五曲面１１と連続している。第五曲面１１は、第二曲面８及び第四曲面１０と連続している。第四曲面１０は、第五曲面１１及びランド５と連続している。換言すれば、最深部Ｐ１からエッジＥに向かい、第一曲面７、第三曲面９、第二曲面８、第五曲面１１及び第四曲面１０がこの順に連続している。
【００２２】
第一曲面７は、全体的には内向きに凸である。第一曲面７は、部分的に外向きに凸であってもよく、部分的に内外方向に関して平坦であってもよいが、全範囲にわたって内向きに凸であるのが好ましい。本明細書において「曲面が内外方向に関して平坦」とは、当該曲面の縦方向断面が直線であることを意味する。第二曲面８は、全体的には内向きに凸である。第二曲面８は、部分的に外向きに凸であってもよく、部分的に内外方向に関して平坦であってもよいが、全範囲にわたって内向きに凸であるのが好ましい。第三曲面９は、全体的には内向きに凸である。第三曲面９は、部分的に外向きに凸であってもよく、部分的に内外方向に関して平坦であってもよいが、全範囲にわたって内向きに凸であるのが好ましい。第四曲面１０は、全体的には外向きに凸である。第四曲面１０は、部分的に内向きに凸であってもよく、部分的に内外方向に関して平坦であってもよいが、全範囲にわたって外向きに凸であるのが好ましい。
【００２３】
第五曲面１１は、内向きに凸な領域のみからなってもよく、外向きに凸な領域のみからなってもよく、内外方向に関して平坦な領域のみからなってもよく、凸である向きが異なる複数の領域からなってもよい。前述のように、第五曲面１１は第二曲面８及び第四曲面１０と連続している。従って、第五曲面１１の下方領域（第二曲面８と連続する領域）が内向きに凸であり、上方領域（第四曲面１０と連続する領域）が外向きに凸であることが好ましい。この場合において、第五曲面１１が内向きに凸な領域と外向きに凸な領域との変曲点を含むことが好ましい。
【００２４】
第一曲面７の曲率半径Ｒ１は、図４に示された点Ｐ２と、この点Ｐ２とは最深部Ｐ１を挟んで対向する他の点Ｐ２と、最深部Ｐ１との３点を通過する円弧が想定されたときのこの円弧の半径である。この円弧における点Ｐ２と他の点Ｐ２との間の領域は、内向きに凸である。第二曲面８の曲率半径Ｒ２は、点Ｐ３と、エッジＥから（Ｄｐ・０．３５）の距離だけ下方の点と、点Ｐ４との３点を通過する円弧が想定されたときのこの円弧の半径である。この円弧における点Ｐ３と点Ｐ４との間の領域は、内向きに凸である。第三曲面９の曲率半径Ｒ３は、点Ｐ２と、エッジＥから（Ｄｐ・０．６７５）の距離だけ下方の点と、点Ｐ３との３点を通過する円弧が想定されたときのこの円弧の半径である。この円弧における点Ｐ２と点Ｐ３との間の領域は、内向きに凸であるのが好ましい。第四曲面１０の曲率半径Ｒ４は、点Ｐ５と、エッジＥから（Ｄｐ・０．０５）の距離だけ下方の点と、エッジＥとの３点を通過する円弧が想定されたときのこの円弧の半径である。この円弧における点Ｐ５とエッジＥとの間の領域は、外向きに凸である。
【００２５】
このディンプル４では、比（Ｒ１／Ｒ２）は５以上である。この比（Ｒ１／Ｒ２）は、従来のダブルラジアスディンプルの比（Ｒ１／Ｒ２）よりも大きい。このディンプル４は、ゴルフボール１の飛行性能に寄与する。このディンプル４がゴルフボール１の飛行性能に寄与する理由は詳細には不明であるが、比（Ｒ１／Ｒ２）が大きいことに起因して、ランド５から最深部Ｐ１に向かう空気の流れが乱され、抗力が低減されるためと推測される。飛行性能の観点から、比（Ｒ１／Ｒ２）は１０以上、さらには１３以上、さらには１５以上、さらには２０以上、さらには２２以上が好ましい。比（Ｒ１／Ｒ２）が過大であると第一曲面７での空気の流れが単調となるので、比（Ｒ１／Ｒ２）は５５以下、さらには５２以下、さらには５０以下、さらには４０以下が好ましい。
【００２６】
全てのディンプル４において、５以上５５以下の比（Ｒ１／Ｒ２）が達成されるのが好ましい。一部のディンプル４において比（Ｒ１／Ｒ２）が上記範囲内であり、残余のディンプル４において比（Ｒ１／Ｒ２）が上記範囲外である場合、比（Ｒ１／Ｒ２）が上記範囲内であるディンプル４の数がディンプル４の総数に占める比率は、２０％以上に設定される。この比率は、５０％以上がより好ましく、７０％以上がさらに好ましく、８５％以上がさらに好ましく、９０％以上が特に好ましい。
【００２７】
曲率半径Ｒ１は、２ｍｍ以上６０ｍｍ以下、さらには４ｍｍ以上５９ｍｍ以下、さらには５ｍｍ以上５８ｍｍ以下、さらには１０ｍｍ以上５７ｍｍ以下、さらには１５ｍｍ以上５６ｍｍ以下、さらには２０ｍｍ以上５５ｍｍ以下が好ましい。曲率半径Ｒ２は、０．３ｍｍ以上２０ｍｍ以下、さらには０．５ｍｍ以上１９ｍｍ以下、さらには０．５ｍｍ以上１８ｍｍ以下、さらには０．５ｍｍ以上１０ｍｍ以下、さらには０．８ｍｍ以上５ｍｍ以下が好ましい。
【００２８】
このゴルフボール１では、第二曲面８の水平方向に対する傾斜角度が大きいので、エッジＥの近傍が打撃時に傷つきやすい。このゴルフボール１では、エッジＥの近傍が第四曲面１０、すなわち外向きに凸な曲面とされている。この第四曲面１０は、打撃時のエッジＥ近傍の傷つき防止に寄与する。傷つき防止の観点から、第四曲面１０の曲率半径Ｒ４は０．１ｍｍ以上が好ましく、０．２ｍｍ以上がより好ましく、０．３ｍｍ以上が特に好ましい。曲率半径Ｒ４が大きすぎると第二曲面８によるディンプル効果が不十分となるので、曲率半径Ｒ４は５．０ｍｍ以下が好ましく、４．０ｍｍ以下がより好ましく、３．０ｍｍ以下が特に好ましい。
【００２９】
図４において両矢印Ｆで示されているのは、仮想球６と最深部Ｐ１との距離である。距離Ｆは、０．１０ｍｍ以上０．６０ｍｍ以下が好ましい。距離Ｆが上記範囲未満であると、ホップする弾道となることがある。この観点から、距離Ｆは０．１２５ｍｍ以上がより好ましく、０．１５ｍｍ以上がさらに好ましく、０．２０ｍｍ以上が特に好ましい。距離Ｆが上記範囲を超えると、ドロップする弾道となることがある。この観点から、距離Ｆは０．５５ｍｍ以下がより好ましく、０．５０ｍｍ以下がさらに好ましく、０．５０ｍｍ以下が特に好ましい。
【００３０】
図４において両矢印αで示されているのは、点Ｐ３と点Ｐ４とを結ぶ直線が深さ方向に対してなす角度である。角度αは、６５°（ｄｅｇｒｅｅ）以上８５°以下が好ましい。角度αが上記範囲未満であると、打撃時にエッジＥの近傍が傷つきやすい。この観点から、角度αは６７°以上、さらには７０°以上、さらには７７°以上、さらには７９°以上が好ましい。角度αが上記範囲を超えると、空力特性に対する第二曲面８の寄与が少なく、ゴルフボール１の飛距離が不十分となることがある。この観点から、角度αは８４°以下、さらには８３°以下、さらには８２°以下が好ましい。
【００３１】
前述のように、第三曲面９は第一曲面７及び第二曲面８と連続している。好ましくは、第一曲面７と第三曲面９とは互いに接する。好ましくは、第二曲面８と第三曲面９とは互いに接する。第三曲面９の曲率半径Ｒ３は、０．３ｍｍ以上６０ｍｍ以下が好ましく、０．３ｍｍ以上４０ｍｍ以下がより好ましく、０．５ｍｍ以上３０ｍｍ以下が特に好ましい。曲率半径Ｒ３は、第一曲面７の曲率半径Ｒ１以下が好ましく、曲率半径Ｒ１よりも小さいのが特に好ましい。曲率半径Ｒ３は、第二曲面８の曲率半径Ｒ２以下が好ましく、曲率半径Ｒ２よりも大きいことが特に好ましい。
【００３２】
図４において仮想球６とディンプル４とに囲まれた部分の容積は、ディンプル４の容積である。ディンプル４の総容積は、３００ｍｍ３以上７５０ｍｍ３以下が好ましい。総容積が上記範囲未満であると、ホップする弾道となることがある。この観点から、総容積は３５０ｍｍ３以上がより好ましく、４００ｍｍ３以上が特に好ましい。総容積が上記範囲を超えると、ドロップする弾道となるおそれがある。この観点から、総容積は７００ｍｍ３以下がより好ましく、６００ｍｍ３以下が特に好ましい。
【００３３】
図１から図４に示されたゴルフボール１では、Ａディンプルの容積は１．５８７ｍｍ３であり、Ｂディンプルの容積は１．０８７ｍｍ３であり、Ｃディンプルの容積）は０．９３８ｍｍ３であり、Ｄディンプルの容積は０．７７１ｍｍ３である。このゴルフボール１の総容積は、５０７．７ｍｍ３である。
【００３４】
ディンプル４の総面積が仮想球６の表面積に占める比率は、表面積占有率と称される。表面積占有率は、７０％以上９０％以下が好ましい。表面積占有率が上記範囲未満であると、飛行中のゴルフボール１の揚力が不足するおそれがある。この観点から、表面積占有率は７２％以上がより好ましく、７５％以上が特に好ましい。表面積占有率が上記範囲を超えると、ディンプル４が他のディンプル４を干渉することがある。この観点から、表面積占有率は８８％以下がより好ましく、８６％以下が特に好ましい。
【００３５】
ディンプル４の面積は、無限遠からゴルフボール１の中心を見た場合の、エッジラインに囲まれた領域の面積（すなわち平面形状の面積）である。平面形状が円形であるディンプル４の場合は、下記数式によって面積ｓが算出される。
ｓ＝（ｄ／２）２×π
【００３６】
図１から図４に示されたゴルフボール１では、Ａディンプルの面積は１３．２０ｍｍ２であり、Ｂディンプルの面積は１０．１８ｍｍ２であり、Ｃディンプルの面積は９．０８ｍｍ２であり、Ｄディンプルの面積は８．０４ｍｍ２である。これらディンプル４の総面積は、４６０２．０ｍｍ２である。この総面積が仮想球６の表面積で除されることにより、表面積占有率が算出される。このゴルフボール１では、表面積占有率は８０．３％である。
【００３７】
ディンプル４の総数は、２００個以上５００個以下が好ましい。総数が上記範囲未満であると、ディンプル効果が得られにくい。この観点から、総数は２３０個以上がより好ましく、２６０個以上が特に好ましい。総数が上記範囲を超えると、個々のディンプルのサイズが小さいことに起因してディンプル効果が得られにくい。この観点から、総数は４７０個以下がより好ましく、４４０個以下が特に好ましい。
【００３８】
形成されるディンプル４は単一種類でもよく、複数種類であってもよい。円形ディンプル４に代えて、又は円形ディンプル４とともに、非円形ディンプル（平面形状が円でないディンプル）が形成されてもよい。非円形ディンプルの具体例としては、多角形ディンプル、楕円ディンプル、長円ディンプル及び卵形ディンプルが挙げられる。非円形ディンプルの場合、４５°刻みで選定された４個の断面が選択され、これら断面において曲率半径Ｒ１、Ｒ２、Ｒ３及びＲ４並びに距離Ｆが測定される。得られたデータは、平均される。
【００３９】
図１に示されたゴルフボール１はツーピース構造であるが、マルチピースゴルフボール、糸巻きゴルフボール又はワンピースゴルフボールにおいても、適正な断面形状が設定されることにより、飛行性能が高められうる。
【００４０】
【実施例】
以下、実施例に基づいて本発明の効果が明らかにされるが、この実施例の記載に基づいて本発明が限定的に解釈されるべきではない。
【００４１】
［実施例１］
ソリッドゴムからなり直径が３８．４ｍｍであるコアを金型に投入し、コアの周りにアイオノマー樹脂組成物を射出してカバー層を形成した。このカバー層の表面に塗装を施して、平面図が図２であり正面図が図３であるディンプルパターンを備えた実施例１のゴルフボールを得た。このゴルフボールの外径は約４２．７０ｍｍであり、質量は約４５．４ｇである。アッティエンジニアリング社のコンプレッションテスターによって測定されたゴルフボールのコンプレッションは、約８５である。このゴルフボールは、ＡからＤの４種のディンプルを備えている。ディンプル総数は、４３２個である。各ディンプルは、第一曲面、第二曲面、第三曲面、第四曲面及び第五曲面を備えている。第一曲面、第二曲面及び第三曲面はＭ内向きに凸である。第四曲面は、内向きに凸である。Ａディンプルでは、第一曲面の曲率半径Ｒ１は３０．００ｍｍであり、第二曲面の曲率半径Ｒ２は１．００ｍｍであり、第三曲面の曲率半径Ｒ３は１．００ｍｍであり、第四曲面の曲率半径Ｒ４は０．５０ｍｍであり、比（Ｒ１／Ｒ２）は３０．００である。Ｂディンプルでは、第一曲面の曲率半径Ｒ１は３０．００ｍｍであり、第二曲面の曲率半径Ｒ２は１．００ｍｍであり、第三曲面の曲率半径Ｒ３は１．００ｍｍであり、第四曲面の曲率半径Ｒ４は０．５０ｍｍであり、比（Ｒ１／Ｒ２）は３０．００である。Ｃディンプルでは、第一曲面の曲率半径Ｒ１は３０．００ｍｍであり、第二曲面の曲率半径Ｒ２は１．００ｍｍであり、第三曲面の曲率半径Ｒ３は１．００ｍｍであり、第四曲面の曲率半径Ｒ４は０．５０ｍｍであり、比（Ｒ１／Ｒ２）は３０．００である。Ｄディンプルでは、第一曲面の曲率半径Ｒ１は３２．５０ｍｍであり、第二曲面の曲率半径Ｒ２は１．５０ｍｍであり、第三曲面の曲率半径Ｒ３は１．５０ｍｍであり、第四曲面の曲率半径Ｒ４は０．５０ｍｍであり、比（Ｒ１／Ｒ２）は２１．６７である。比（Ｒ１／Ｒ２）が５以上５５以下であるディンプルの数がディンプルの総数に占める比率Ｘは、１００％である。ＡからＤのいずれのディンプルにおいても、第五曲面は、第二曲面と連続する下方領域及び第五曲面に連続する上方領域から構成されている。下方領域は内向きに凸であり、上方領域は外向きに凸である。下方領域と上方領域とは、接している。
【００４２】
［実施例２から８及び比較例１から３］
ディンプルの仕様を下記の表１、表２及び表３に示されるように設定した他は実施例１と同様にして、実施例２から８及び比較例１から３のゴルフボールを得た。実施例７のＡディンプル及びＤディンプル、実施例８のＡディンプル及びＢディンプル、比較例１のＡディンプル及びＤディンプル並びに比較例３のＡディンプル、Ｂディンプル、Ｃディンプル及びＤディンプルは、シングルラジアスディンプルである。
【００４３】
［飛距離テスト］
スイングマシン（ツルテンパー社製）に、メタルヘッドを備えたドライバー（住友ゴム工業社の「ＸＸＩＯ  Ｗ＃１」、ロフト：８°、シャフト硬度：Ｘ）を装着した。ヘッド速度が４９ｍ／ｓｅｃであり、打ち出し角度が約１１°であり、バックスピンの速度が約３０００ｒｐｍである条件でゴルフボールを打撃し、飛距離（発射地点から静止地点までの距離）を測定した。測定時は、ほぼ無風であった。２０個の測定結果の平均値が、下記の表１、表２及び表３に示されている。
【００４４】
【表１】
2004166725.tif 000003
【００４５】
【表２】
2004166725.tif 000004
【００４６】
【表３】
2004166725.tif 000005
【００４７】
表１、表２及び表３に示されるように、実施例のゴルフボールは比較例のゴルフボールよりも飛距離が大きい。この評価結果から、本発明の優位性は明らかである。
【００４８】
【発明の効果】
以上説明されたように、本発明のゴルフボールは飛行性能に優れる。このゴルフボールは、これを打撃するゴルファーに爽快感を与え、かつスコアの向上に寄与する。
【図面の簡単な説明】
【図１】図１は、本発明の一実施形態に係るゴルフボールが示された一部切り欠き断面図である。
【図２】図２は、図１のゴルフボールが示された拡大平面図である。
【図３】図３は、図１のゴルフボールが示された拡大正面図である。
【図４】図４は、図１のゴルフボールの一部が示された模式的拡大断面図である。
【符号の説明】
１・・・ゴルフボール
２・・・コア
３・・・カバー
４・・・ディンプル
５・・・ランド
６・・・仮想球
７・・・第一曲面
８・・・第二曲面
９・・・第三曲面
１０・・・第四曲面
１１・・・第五曲面
Ａ・・・Ａディンプル
Ｂ・・・Ｂディンプル
Ｃ・・・Ｃディンプル
Ｄ・・・Ｄディンプル
ｄ・・・直径
Ｄｐ・・・深さ
Ｅ・・・エッジ
Ｐ１・・・最深部
【図１】
2004166725.tif 000006
【図２】
2004166725.tif 000007
【図３】
2004166725.tif 000008
【図４】
2004166725.tif 000009